(57)【要約】【課題】箱毎商品を店頭に陳列して、箱内の商品が丸見えになって見栄を悪くすることがなく、また、箱内からの商品の取り出しが、商品量に無関係に簡単にできる使い勝手の良い包装用箱を提供する。【解決手段】ブランクシートＡからなる直方体形状をなす箱であって、正面板２に開口部８を設け、頂面板１５に正面板２の内側に挿し込まれる上側挿込み正面板１６を連設し、箱底部を構成する外底面板１７に正面板２の内側に挿し込まれる下側挿込み正面板１８を連設し、箱内に両方の挿込み正面板１６、１８が基部まで挿し込まれた状態で開口部を閉鎖し、両方の挿込み正面板が開口部から退出する位置で、両方の挿込み正面板１６、１８をロックするロック手段９、１０、１９、２０、２１、２２を設けた。【選択図】  図１
0003103821.tif 000002
【実用新案登録請求の範囲】
【請求項１】
板紙から裁断したブランクシートからなり、正面板、背面板、左右の側面板、外底面板及び頂面板を有する直方体形状をなす箱であって、正面板に開口部を設け、該開口部に対応して頂面板には正面板の内側に挿し込まれる上側挿込み正面板を連設し、また、箱底部を構成する外底面板には同じく正面板の内側に挿し込まれる下側挿込み正面板を連設し、箱内に対し、両方の挿込み正面板が基部まで挿し込まれた状態で、両方の挿込み正面板で開口部を閉鎖し、両方の挿込み正面板が開口部から退出する位置で、両方の挿込み正面板をロックするロック手段を設けたことを特徴とする包装用箱。
【請求項２】
ロック手段が、両方の挿込み正面板のそれぞれの左右両側縁中間部に、背向的に切込み溝状に設けた係止凹部と、上側挿込み正面板の係止凹部に対応しては、左右の側面板の上辺に連設した折込み片のそれぞれの片方の側縁部に設けた係止段と、正面板の上辺に連設した折込み片と、下側挿込み正面板の係止凹部に対応しては、内底面板と底部固定面板のそれぞれの片方の側縁基部に設けた係止段と、正面板の下辺に連設した立体折込み片からなることを特徴とする請求項１記載の包装用箱。
【考案の詳細な説明】
【技術分野】
【０００１】
本考案は、ビスケット、チョコレート、キャンデー等の菓子類や、食料品等の日常の消費商品を箱詰めした状態で陳列し、販売時には商品を箱の中から手掴みで取り出して販売される包装用箱に関するものである。
【背景技術】
【０００２】
ビスケット、チョコレート等の菓子類や食料品等の各種小形の商品の中には、商品の複数個を直方体形状の包装用箱に箱詰め（収容）して出荷し、包装用箱のままで店頭に陳列し、商品の販売は箱から直接に商品を取り出して販売するようにしたものが提案されている（特許文献１参照）。
【０００３】
このような包装用箱は、通常、包装用箱の上面や前面を切り開いた上で、陳列棚などに並べて置かれ、顧客は箱内の直接に見て商品を取り出して購入するようにしている。
【０００４】
ところが、複数個の商品を整列状に箱詰めした包装用箱の上蓋を開いたり、箱の上面から前面に掛けて切り開いたりして箱内の商品を見せる陳列が行われる構成のものは、商品が売られて箱内に残る商品数が少なくなるにつれて箱内の空所が目立つようになり、また、箱内に残された商品は、その整列も乱れるようなことが起きるので、商品陳列の見栄えが悪くなって商品イメージにも悪影響を与え、顧客は購買意欲をそがれるようなことがある。
【特許文献１】実用新案登録第３０６８４６０号。
【考案の開示】
【考案が解決しようとする課題】
【０００５】
本考案は、このような状況に鑑みてなされたものであって、商品を箱詰めして箱ごと店頭に陳列して商品を販売するときに、箱内の商品が丸見えになって見栄えを悪くするようなことがなく、しかも、箱内からの商品の取り出しは箱内に残る商品量に無関係に簡単にできる使い勝手の良い包装用箱を提供することを目的としたものである。
【課題を解決するための手段】
【０００６】
上記の目的を達成するための本考案に係る包装用箱は、板紙から裁断したブランクシートからなり、正面板、背面板、左右の側面板、外底面板及び頂面板を有する直方体形状をなす箱であって、正面板に開口部を設け、該開口部に対応して頂面板には正面板の内側に挿し込まれる上側挿込み正面板を連設し、また、箱底部を構成する外底面板には同じく正面板の内側に挿し込まれる下側挿込み正面板を連設し、箱内に対し、両方の挿込み正面板が基部まで挿し込まれた状態で、両方の挿込み正面板で開口部を閉鎖し、両方の挿込み正面板が開口部から退出する位置で、両方の挿込み正面板をロックするロック手段を設けたことを特徴とする。
【０００７】
ここで、本考案に係る包装用箱への商品の箱詰めは、箱を組み立てて開放された上部から箱詰し、商品箱詰め後の形態は、通常の包装用箱と同じであるので、商品箱詰めから出荷されるまでは、通常の包装用箱同様に取り扱われる。
【０００８】
店頭に商品を陳列するときは、上側挿込み正面板及び下側挿込み正面板の基部を箱外に引き出して開口部を開き、両方の挿込み正面板をロックして開口部を開いた状態で陳列棚等に並べて置かれる。こうして、正面板に設けた開口部は正面板が傾斜してやや上向きに開口するので、箱内からの商品の取り出しは、開口部から箱内に手を入れて簡単に掴んで取り出すことができる。
【０００９】
また、箱内で商品が載る底部は後ろ向きに傾斜しているので、箱内に残る商品が残り少なくなってくると、商品は自然に背面板寄りの奥まったところに移動し、開口部の真下付近からは遠ざかるので、商品商品の取り出しは箱内に残る商品量に関係なく簡単に取り出される。また、陳列された箱を外から見て、正面板に開設した開口部から箱内に残る商品はほとんど見ることができないので、見栄えを悪くするようなこともない。
【００１０】
前記構成において、両方の挿込み正面板をロックするロック手段が、両方の挿込み正面板のそれぞれの左右両側縁中間部に、背向的に切込み溝状に設けた係止凹部と、上側挿込み正面板の係止凹部に対応しては、左右の側面板の上辺に連設した折込み片のそれぞれの片方の側縁部に設けた係止段と、正面板の上辺に連設した折込み片と、下側挿込み正面板の係止凹部に対応しては、内底面板と底部固定面板のそれぞれの片方の側縁基部に設けた係止段と、正面板の下辺に連設した立体折込み片からなる構成にするのが好ましい。
【００１１】
このように構成すると、通常の箱形態から上側挿込み正面板及び下側挿込み正面板の基部を箱外に引き出して開口部を開く過程で、上側挿込み正面板の係止凹部は、右左の側面板の上辺に連設する折込み片の片方の側縁部に摺接して正面板の上辺に連設した折込み片の反動で確実に係止段に係止し、また、下側挿込み正面板の係止凹部は、内底面板と底部固定面板のそれぞれの片方の側縁部に摺接して正面板の下辺に連設した立体折込み片の反動で確実に係止凹部に係止する。
【００１２】
また、立体折込み片は、下側挿込み正面板の係止凹部と、内底面板と底部固定面板のそれぞれの係止段に商品の重量が直接に掛からないようカバーしており、重さのあるものにも耐えられるものである。
【００１３】
こうして、両方の挿込み正面板は開口部から退出した位置、つまり、開口部を開いた位置に確実にロックされて陳列形態で安定する。
【考案の効果】
【００１４】
本考案に係る包装用箱によれば、正面板に設けた開口部は正面板の傾斜により、やや上向きに開口するので、箱内に手を入れて商品を掴んで取り出し易くする。また、箱内に残る商品が少なくなると、商品は自然に箱内の奥まった所に移動するので、箱内からの商品の取り出しは、箱内に残る商品量に無関係に簡単にできる。また、箱内に残る商品が丸見になって見栄えを悪くするようなこともない。また、箱が陳列形態を採るときは、人目につき易い正面板の上部及び下部には、延長状に上側挿込み正面板及び下側挿込み正面板が露出するので、これらの面には商品名、サイズ、素材等の商品の特徴を表示したり、宣伝用の印刷が効果的にできるので、商品の特徴が一目で判別することができ、また、商品の宣伝効果を高めることができる。さらに、通常の箱形態から陳列時への箱形態の変更は、正面板に対し上側挿込み正面板及び下側挿込み正面板を抜き挿しする操作で簡単にできるので、取り扱いにも便利で使い勝手もよい。
【考案を実施するための最良の形態】
【００１５】
以下、図面を参照しながら、本考案の実施例に係る包装用箱について具体的に説明する。
（実施形態）
図１は本考案に係る包装用箱の展開図、図２は陳列時の箱形態に組み立てた包装用箱の斜視図、図３は通常の箱形態に組み立てた包装用箱の斜視図、図４は箱底部の組み立て要領を説明するための斜視図、図５は箱頂部の組み立て要領を説明するための斜視図、図６は通常の箱形態に組み立てた包装用箱の中央部からの概略断面図である。
【００１６】
図１に示すように、１枚の板紙製のブランクシートＡにおいて、直方体形状の包装用箱を形成するために、ほぼ正方形の右側面板１の左側に折線ａ、ｂ、ｃを介して右側面板１とほぼ同形の正面板２、左側面板３、背面板４を順次に連設し、背面板４の左側には折線ｄを介して接着板５を連設している。
【００１７】
前記の右側面板１の上辺には折線ｅを介して折込み片６を連設し、下辺には折線ｆを介して内底面板７を連設している。
【００１８】
前記の正面板２には板面をくり抜き状にして手が出し入れできる開口部８を形成し、正面板２の上辺には折線ｇを介して折込み片９を連設し、下辺には折線ｈを介して立体折込み片１０を連設している。この立体折込み片１０には、折線ｈに近接して折線ｉを平行に設けて両折線ｈ、ｉからの２段折りで立体的に厚みを付けて折り込まれるようにしている。
【００１９】
前記の左側面板３の上辺には折線ｊを介して折込み片１１を連設し、下辺には折線ｋを介して底部固定面板１２を連設し、この底部固定面板１２の下辺には折線ｌを介して結合片１３を連設し、この結合片１３は折線ｌからの折曲をし易くするために折線ｌの両端部に切れ目１４を設けている。
【００２０】
前記の背面板４の上辺には、折線ｍ、ｎを介して頂面板１５、上側挿込み正面板１６を順次に連設し、背面板４の下辺には、折線ｏ、ｐを介して外底面板１７、下側挿込み正面板１８を順次に連設し、上側挿込み正面板１６及び下側挿込み正面板１８のそれぞれに折線ｎ、ｐには、開口時の引き出し部となる両折線ｎ、ｐの中間部に切れ目１４を設けている。
【００２１】
また、前記の上側挿込み正面板１６と下側挿込み正面板１８の左右両側縁の中間部に、それぞれに背向的に切込み溝状に係止凹部１９，２０を設け、上側挿込み正面板１６の係止凹部１９に対応しては、右側面板１と左側面板３の上辺に連設する折込み片６，１１が正面板２に連設する折込み片９を挟んで対峙するそれぞれの片方の側縁部に係止段２１を設け、下側挿込み正面板１８の係止凹部２０に対応しては、内底面板７と底部固定面板１２が正面板２に連設する立体折込み片１０を挟んで対峙するそれぞれの片方の側縁基部に、若干深めに切り込んだ係止段２２を設けている。
【００２２】
また、前記の底部固定面板１２に連設した結合片１３に対応しては、右側面板１と内底面板７間の折線ｆ上に結合孔２３を開設している。
【００２３】
前記構成のブランクシートＡによって包装用箱を組み立てる手順について説明する。
【００２４】
本考案に係る包装用箱を組み立てるには、背面板４に連設した接着板５を対応する右側面板１の側縁部に貼り付けて右側面板１と背面板４を結合するのが唯一の貼り付け個所とされる。従って、接着板５による貼り付けは、通常の貼付け加工ができるサックマシーンが利用できる。
【００２５】
接着板５を介して右側面板１と背面板４が結合されると、正面板２を左側面板３に重ね、右側面板１を背面板４に重ねるだけの折り込みで、全体的形態が扁平状になって嵩を小さくするので、使用前の流通はこの状態で行われる。
【００２６】
使用時に箱を組み立てるには、正面板２、左右の側面板１，３及び背面板４を立体的に引き起こしてから箱底部を組み立てる。
【００２７】
箱底部の組み立ては、先ずは、立体折込み片１０を折線ｈ、ｉから立体的に２段折りしてから正面板２の内側に折り込む。次いで、図４に示すように、右側面板１から内底面板７を内向きに折り込み、この上に左側面板３から折り込んだ底部固定面板１２を重ね、底部固定面板１２の結合片１３を折線ｌから折り込んで対応する結合孔２３に挿入係止させる。こうして、内底面板７と底部固定面板１２が重合状態で固定されて堅固な箱底部が形成される。
【００２８】
この後、背面板４から外底面板１７とともに下側挿込み正面板１８を折り込んできて下側挿込み正面板１８の先端部を、先の内底面板７と底部固定面板１２のそれぞれの係止段２２付きの側縁が立体折込み片１０の基部に対応して生じる隙間に挿入する。こうして箱内に挿し込まれた下側挿込み正面板１８は正面板２の内側にあって立体折込み片１０に摺接して正面板２に対してほぼ平行移動し、挿込み深さが下側挿込み正面板１８の基部まで達するときは、外底面板１７が底部固定面板１２に重合して内底面板７とともに三重構造の箱底部を形成し、下側挿込み正面板１８の先端部が正面板２の開口部８の下半部を覆うようになる。また、下側挿込み正面板１８の挿込み途中で、その両側縁中間部に設けた係止凹部２０を内底面板７と底部固定面板１２のそれぞれの片方の側縁基部に設けた係止段２２に係止させるときは、下側挿込み正面板１８の先端部は正面板２の開口部８から退出して開口部８を解放する。
【００２９】
次に、箱頂部の組み立ては、商品を箱詰めした後に行われるが、その組み立て要領を説明する。
【００３０】
図５に示すように、正面板２の折込み片９を内側に折り込んだ後に、左右の側面板１，３の折込み片６，１１を対向的に折り込む。この後、背面板４から頂面板１５とともに上側挿込み正面板１６を折り込んできて上側挿込み正面板１６の先端部を、先の左右の側面板１，３の折込み片６，１１の係止段２１付き側縁が正面板２の折込み片９基部に対応して生じる隙間に挿入する。
【００３１】
こうして箱内に挿し込まれた上側挿込み正面板１６は正面板２の内側にあって折込み片９に摺接して正面板２に対してほぼ平行移動し、挿込み深さが上側挿込み正面板１６の基部まで達するときは、上側挿込み正面板１６の先端部が箱内で下側挿込み正面板１８の先端部と重なり合う形で正面板２の開口部８の上半部を覆うようになる。つまり、開口部８は箱内に上下方向から挿し込まれる上側挿込み正面板１６及び下側挿込み正面板１８によって閉鎖される。(図６参照)。
【００３２】
また、上側挿込み正面板１６の挿込み途中で、その両側縁中間部に設けた係止凹部１９を対応する折込み片６，１１のそれぞれの係止段２１に係止させるときは、上側挿込み正面板１６の先端部は正面板２の開口部８から退出して開口部８を解放する。
【００３３】
上記構成において、本考案に係る包装用箱の使用方法について説明する。
【００３４】
所定数量の商品を箱詰めして出荷する時は、正面板２に対し上側挿込み正面板１６及び下側挿込み正面板１８は基部まで箱内に挿し込まれて正面板２の開口部８を覆い、通常の箱形態を採る。この状態では、通常の直方体形状の包装用箱と何ら変わりなく取り扱われる。
【００３５】
次に、店頭において商品の陳列する時は、上側挿込み正面板１６及び下側挿込み正面板１８の基部を箱外に引き出して開口部８を開き、上側挿込み正面板１６は、その両側縁に設けた係止凹部１９を対応する折込み片６，１１の係止段２１に係止させ、下側挿込み正面板１８は、その両側縁に設けた係止凹部２０を対応する内底面板７及び底部固定面板１２の係止段２２に係止させて両方の上側挿込み正面板１６及び下側挿込み正面板１８をロックする。
【００３６】
こうして箱は陳列形態を採るので、このまま陳列棚等に並べて置くと、正面板２に設けた開口部８は正面板２の傾斜によりやや上向きに開口するので、開口部８から箱内に手を入れて商品を掴んで取り出し易くする。また、箱内に残る商品が少なくなると、箱内で傾斜する底部を商品は自然に箱内の奥まった所に移動し、開口部８の真下付近から離れるので、箱内からの商品の取り出しは、箱内に残る商品量に無関係にし易くする。
【００３７】
また、箱ごと商品を陳列して、最も目立つ正面板２には開口部８を開設しているので、宣伝表示面等として使用できる正面板２の面積は減少するが、陳列形態を採るときは、正面板２の上部および下部には、箱内から引き出された上側挿込み正面板１６と下側挿込み正面板１８の基部が延長状に露出するので、これらの板面を総合的に宣伝表示面として使用できて宣伝効果を高めることができる。
【産業上の利用可能性】
【００３８】
本考案に係る包装用箱によれば、一枚の板紙から作ることができるので、構造が簡単で組み立ても容易なために比較的安価に提供できる。また、本考案に係る包装用箱に箱詰めして販売される商品としては種類も多く、商品の取り出しも簡単にできて使い勝手がよいので、利用範囲は極めて広範になり、販売範囲を拡大して販売増強を図ることができる実用上、極めて有益なものである。
【図面の簡単な説明】
【００３９】
【図１】本考案に係る包装用箱の展開図である。
【図２】陳列時の箱形態に組み立てた包装用箱の斜視図である。
【図３】通常の箱形態に組み立てた包装用箱の斜視図である。
【図４】箱底部の組み立て要領を説明するための斜視図である。
【図５】箱頂部の組み立て要領を説明するための斜視図である。
【図６】通常の箱形態に組み立てた包装用箱の中央部からの概略断面図である。
【符号の説明】
【００４０】
１  右側面板
２  正面板
３  左側面板
４  背面板
５  接着板
６  折込み片
７  内底面板
８  開口部
９  折込み片
１０  立体折込み片
１１  折込み片
１２  底部固定面板
１３  結合片
１４  切れ目
１５  頂面板
１６  上側挿込み正面板
１７  外底面板
１８  下側挿込み正面板
１９  係止凹部
２０  係止凹部
２１  係止段
２２  係止段
２３  結合孔
【図１】
0003103821.tif 000003
【図２】
0003103821.tif 000004
【図３】
0003103821.tif 000005
【図４】
0003103821.tif 000006
【図５】
0003103821.tif 000007
【図６】
0003103821.tif 000008